(57)【要約】【課題】複数のマイクにより録音を行う録音装置において、各種録音態様での録音に適したマイク構成等の設定を簡便に行うことができるようにする。【解決手段】複数のマイク１Ｌ、１Ｃ、１Ｒについて接続のオン・オフを制御する複数のスイッチＳＷＬ、ＳＷＣ，ＳＷＲと、これらのスイッチにより接続された各マイクからの音声信号に基づいて録音を行う録音手段とを備えた録音装置において、予め定められた複数の録音モードのうちからの選択を受け入れる選択手段６、７を設け、各録音モードについては各スイッチのオン・オフ制御の内容、及び各種の信号処理が予め対応付けておき、録音を行うに際し、選択手段により選択された録音モードに対応する制御内容に従って各スイッチを制御し、これにより接続された各マイクからの音声信号に対して、該録音モードに対応する信号処理を、イコライザ４やエンコーダ５により施し、録音を行うようにする。【選択図】図１
2010273305.tif 000002
【特許請求の範囲】
【請求項１】
複数のマイクについて接続のオン・オフを制御する複数のスイッチと、
前記スイッチにより接続された各マイクからの音声信号に基づいて録音を行う録音手段とを備えた録音装置であって、
予め定められた複数の録音モードのうちからの選択を受け入れる選択手段を備え、
各録音モードについては各スイッチのオン・オフ制御の内容、及び各種の信号処理が予め対応付けられており、
前記録音手段は、前記録音を行うに際し、前記選択手段により選択された録音モードに対応する前記制御内容に従って各スイッチを制御し、これにより接続された各マイクからの音声信号に対して、該録音モードに対応する前記信号処理を施し、録音を行うものであることを特徴とする録音装置。
【請求項２】
前記複数のマイクは、左マイク、右マイク、及び中央マイクであり、
各録音モードに予め対応付けられた各スイッチのオン・オフ制御の内容は、左マイク及び右マイクの接続をオンとし、かつ中央マイクの接続をオフとする内容、左マイク、右マイク及び中央マイクのすべての接続をオンとする内容、又は中央マイクの接続のみをオンとする内容のうちのいずれかであることを特徴とする請求項１に記載の録音装置。
【請求項３】
前記録音手段は、前記選択された録音モードに予め対応付けられた各スイッチのオン・オフ制御により接続されたマイクからの音声信号に対し、該音声信号に基づいて、該オン・オフ制御の内容に応じ、ステレオ信号又はモノラル信号を生成する信号処理を施すものであることを特徴とする請求項１又は２に記載の録音装置。
【発明の詳細な説明】
【技術分野】
【０００１】
本発明は、マイクからの音声信号に基づいて録音を行う録音装置に関する。
【背景技術】
【０００２】
従来、マイクにより録音を行う録音装置においては、ステレオ又はモノラルのいずれで録音を行うかといったことや、録音レベル等の各種のパラメータの設定を、ユーザが選択するようになっている。録音装置が周波数特性を変更するイコライザを有する場合、ユーザが、録音の状況や環境を考慮し、最適と考えられるイコライザの設定を選択する。録音装置が複数の内蔵マイクを備え、使用するマイクを切り換える機能を有する場合も、最適なマイク設定をユーザが選択する。
【０００３】
一方、録音モードを自動的に設定するオーディオ装置も知られている（たとえば、特許文献１参照）。この装置においては、受信する放送を録音する場合、装置が、放送モードがステレオであるか又はモノラルであるかを判別し、判別結果に応じて録音モードを設定するようにしている。さらには、録音時に録音レベルを自動調整する機能を有する録音装置も知られている。
【先行技術文献】
【特許文献】
【０００４】
【特許文献１】特開２００１−２１６７３４号公報
【発明の概要】
【発明が解決しようとする課題】
【０００５】
近年、デジタル録音装置が普及しており、録音を行う環境や対象についても、屋外での録音、屋内での録音、音楽の録音、楽器の録音、会議の録音など多種にわたる。また、録音に使用するマイクの構成としても、通常の左右のマイクに加えて、中央マイクを設ける構成を採用する場合もある。かかる多種多様な録音態様において、マイクの構成をも考慮し、録音時に録音に関する各種設定を行うのは、ユーザにとっては手間である。
【０００６】
また、多種多様な録音態様があり得るので、ある録音環境や録音対象について、最適なイコライザやマイク構成の設定を行う場合、ユーザは、数回の録音経験を経た後に、ようやくその経験に基づき、その環境や対象について最適と思われる設定を導き出すことができる。したがって、ユーザが、その環境や対象について初めて録音を行う場合には、最適な設定を選択するのは難しい。初心者の場合には特に、適切な設定を判断することが困難である。
【０００７】
一方、上述の録音モードや録音レベルを自動設定する装置は、放送モードがステレオであるか又はモノラルであるかを示す信号や、録音レベルの設定に必要な情報を、チューナ等の他の機器から取得し、取得した信号に基づいて自動設定を行うものであるため、かかる自動設定の手法を、多様な録音態様においてマイクにより録音を行う場合に適用するのは困難である。
【０００８】
本発明の目的は、かかる従来技術の問題点に鑑み、複数のマイクにより録音を行う録音装置において、各種録音態様での録音に適したマイク構成等の設定を簡便に行うことができるようにすることにある。
【課題を解決するための手段】
【０００９】
この目的を達成するため、第１の発明に係る録音装置は、複数のマイクについて接続のオン・オフを制御する複数のスイッチと、前記スイッチにより接続された各マイクからの音声信号に基づいて録音を行う録音手段とを備えた録音装置であって、予め定められた複数の録音モードのうちからの選択を受け入れる選択手段を備え、各録音モードについては各スイッチのオン・オフ制御の内容、及び各種の信号処理が予め対応付けられており、前記録音手段は、前記録音を行うに際し、前記選択手段により選択された録音モードに対応する前記制御内容に従って各スイッチを制御し、これにより接続された各マイクからの音声信号に対して、該録音モードに対応する前記信号処理を施し、録音を行うものであることを特徴とする。
【００１０】
第２の発明に係る録音装置は、第１発明において、前記複数のマイクは、左マイク、右マイク、及び中央マイクであり、各録音モードに予め対応付けられた各スイッチのオン・オフ制御の内容は、左マイク及び右マイクの接続をオンとし、かつ中央マイクの接続をオフとする内容、左マイク、右マイク及び中央マイクのすべての接続をオンとする内容、又は中央マイクの接続のみをオンとする内容のうちのいずれかであることを特徴とする。
【００１１】
第３の発明に係る録音装置は、第１又は第２発明において、前記録音手段は、前記選択された録音モードに予め対応付けられた各スイッチのオン・オフ制御により接続されたマイクからの音声信号に対し、該音声信号に基づいて、該オン・オフ制御の内容に応じ、ステレオ信号又はモノラル信号を生成する信号処理を施すものであることを特徴とする。
【発明の効果】
【００１２】
本発明によれば、いずれかの録音モードを選択するだけで、その録音モードに対応する録音態様での録音に適したマイク構成及び信号処理を設定することができる。
【図面の簡単な説明】
【００１３】
【図１】本発明の一実施形態に係る録音装置の構成を示すブロック図である。
【図２】図１の装置において選択可能な録音モード及び各録音モードにおける各種設定項目の設定内容を示す図である。
【発明を実施するための形態】
【００１４】
図１は、本発明の一実施形態に係る録音装置の構成を示すブロック図である。図中の１Ｌ、１Ｃ及び１Ｒは、それぞれ、録音に使用する左マイク、中央マイク及び右マイク、２Ｌ、２Ｃ及び２Ｒはそれぞれ、マイク１Ｌ、１Ｃ及び１Ｒからの音声信号を増幅するアンプ、ＳＷＬ、ＳＷＣ及びＳＷＲはそれぞれ、マイク１Ｌ、１Ｃ及び１Ｒと、アンプ２Ｌ、２Ｃ、及び２Ｒとの間に設けられたオン・オフスイッチ、３Ｌ、３Ｃ及び３Ｒは、それぞれアンプ２Ｌ、２Ｃ及び２Ｒからの音声信号をデジタル音声信号に変換するＡＤコンバータ、４はＡＤコンバータ３Ｌ、３Ｃ又は３Ｒからの音声信号に基づいて生成されるステレオ音声信号又はモノラル音声信号について周波数特性を調整するイコライザ、５はイコライザ４からの音声信号を所定形式のデータにエンコードするエンコーダ、６は必要な情報処理を行い、装置各部を制御するＣＰＵ、７はＣＰＵ６に対して指示操作を行うための操作キー、そして８は録音データ等を格納するためのフラッシュメモリである。
【００１５】
イコライザ４はＤＳＰ（デジタル・シグナル・プロセッサ）により構成される。このＤＳＰは、ＡＤコンバータ３Ｌ及び３Ｒ又はさらに３Ｃからの音声信号に基づいてステレオ音声信号を生成する機能も有する。エンコーダ５及びＣＰＵ６はシステムＬＳＩにより構成される。ＣＰＵ６は所定の録音モードが選択され、録音を開始する旨の指示が与えられると、選択された録音モードに従い、各部の設定を行い、録音を行う。
【００１６】
図２は、選択可能な録音モード及び各録音モードにおける各種設定項目の設定内容を示す。同図に示すように、選択可能な録音モードとしては、屋外でウィンドスクリーンを用いずに録音を行う「屋外モード１」、屋外でウィンドスクリーンを用いて録音を行う「屋外モード２」、野鳥の鳴き声を、ウィンドスクリーンを用いずに録音する「野鳥モード１」、野鳥の鳴き声を、ウィンドスクリーンを用いて録音する「野鳥モード２」、ライブハウスで録音を行う「ライブハウスモード」、スタジオで録音を行う「スタジオモード」、講演会を録音する「講演会モード」、会話を録音する「会話モード」、及びインタビューを録音する「インタビューモード」が該当する。各種設定項目としては「マイク構成」、「イコライザ」、「録音レベル」、「音声チャンネル」、及び「記録処理」が該当する。
【００１７】
「マイク構成」としては、録音に使用するマイクの構成が設定される。設定し得る内容は「Ｌ＋Ｒ」、「Ｌ＋Ｒ＋Ｃ」、及び「Ｃ」である。「Ｌ＋Ｒ」は左マイク１Ｌ及び右マイク１Ｒを使用するマイク構成である。このマイク構成の設定は、スイッチＳＷＬ及びＳＷＬをオン状態とし、スイッチＳＷＣをオフ状態することにより行われる。「Ｌ＋Ｒ＋Ｃ」は左マイク１Ｌ、中央マイク１Ｃ、及び右マイク１Ｒを使用するマイク構成である。このマイク構成の設定は、スイッチＳＷＬ、ＳＷＣ、及びＳＷＬをオン状態とすることにより行われる。「Ｃ」は中央マイク１Ｃのみを使用するマイク構成である。このマイク構成の設定は、スイッチＳＷＣのみをオン状態とすることに行われる。
【００１８】
「イコライザ」としては、イコライザ４によるフィルタ機能が設定される。設定し得る内容は、「ＨＰＦ（カットオフ周波数：高）」、「ＨＰＦ（カットオフ周波数：低）」、「オフ」、及び「ＢＰＦ」である。「ＨＰＦ（カットオフ周波数：高）」は、所定の高いカットオフ周波数を有するハイパスフィルタの機能である。「ＨＰＦ（カットオフ周波数：低）」は、所定の低いカットオフ周波数を有するハイパスフィルタの機能である。「オフ」は周波数特性に影響を与えない機能である。「ＢＰＦ」は１［ｋＨｚ］を中心とするバンドパスフィルタの機能である。これらの機能の設定は、イコライザ４に付与する所定のパラメータを更新することにより行われる。
【００１９】
「録音レベル」としては、アンプ２Ｌ、２Ｃ及び２Ｒにおけるゲインが設定される。設定し得る内容は「中」、「高」及び「低」である。「中」は録音レベルを所定の中程度とするゲインである。「高」は録音レベルを所定の高いレベルとするゲインである。「低」は録音レベルを所定の低いレベルとするゲインである。これらのゲインの設定は、アンプ２Ｌ、２Ｃ及び２Ｒの設定値を更新することにより行われる。設定の対象とするアンプは録音に使用されるマイクに対応するアンプ２Ｌ、２Ｃ又は２Ｒのみでよい。
【００２０】
「音声チャンネル」としては、録音をステレオ又はモノラルのいずれで行うかが設定される。設定し得る内容は「ステレオ」及び「モノラル」である。「ステレオ」は左マイク１Ｌ及び右マイクＲからの音声信号に基づき、又は左マイク１Ｌ、中央マイク１Ｃ及び右マイク１Ｒからの音声信号に基づき、ステレオ録音を行う設定である。「モノラル」は、中央マイク１Ｃからの音声信号に基づき、モノラル録音を行う設定である。これらの設定は、イコライザ４を構成するＤＳＰに対し、設定内容に対応した指示を与えることにより行われる。
【００２１】
「記録処理」としては、録音により生成されるファイルにおけるデータ圧縮に関する設定がなされる。設定し得る内容は「非圧縮」、「高圧縮」、及び「低圧縮」である。「非圧縮」は録音により生成するファイルの形式を非圧縮形式とする設定である。このファイル形式としては、選択された録音モードに応じ、たとえば量子化ビット数が２４［ｂｉｔ］、サンプリング周波数が４８［ｋＨｚ］のＷＡＶ形式や、量子化ビット数が１６［ｂｉｔ］、サンプリング周波数が４４．１［ｋＨｚ］のＷＡＶ形式が該当する。「高圧縮」は該ファイル形式を、所定の高圧縮率で圧縮した形式とする設定である。このファイル形式としては、たとえば、１２８［ｋｂｐｓ］のＭＰ３形式が該当する。「低圧縮」は該ファイル形式を、所定の低圧縮率で圧縮した形式とする設定である。このファイル形式としては、たとえば、１９２［ｋｂｐｓ］のＭＰ３形式が該当する。「記録処理」の設定はエンコーダ５に対し、いずれのファイル形式へのエンコードを行うかを指示することにより行われる。
【００２２】
同図に示すように、録音モードとして「屋外モード１」が選択された場合、録音対象としては屋外の広範囲な音源が想定されるので、ステレオマイクによる広指向性の集音を行う必要がある。したがって、「マイク構成」は「Ｌ＋Ｒ」に設定され、「音声チャンネル」は「ステレオ」に設定される。また、風切り音が録音されるのを最小限に防止するために、「イコライザ」は「ＨＰＦ（カットオフ周波数：高）」に設定される。また、「録音レベル」は「中」、「記録処理」は「非圧縮」に設定される。
【００２３】
「屋外モード２」が選択された場合には、同様にステレオマイクによる広指向性の集音を行う必要があるので、「マイク構成」は「Ｌ＋Ｒ」に設定され、「音声チャンネル」は「ステレオ」に設定される。また、風切り音がウィンドスクリーンによって低減されること考慮し、「イコライザ」は「ＨＰＦ（カットオフ周波数：低）」に設定される。また「屋外モード１」の場合と同様に、「録音レベル」は「中」、「記録処理」は「非圧縮」に設定される。
【００２４】
「野鳥モード１」が選択された場合には、屋外において距離のある一点からの音を集音することが想定されるため、ステレオマイク１Ｌ及び１Ｒに加えて中央マイクを用いた狭指向性の集音を行うことができるように、「マイク構成」は「Ｌ＋Ｒ＋Ｃ」に設定され、「音声チャンネル」は「ステレオ」に設定される。また、「イコライザ」は、「屋外モード１」の場合と同様に風切り音の影響を低減するために、「ＨＰＦ（カットオフ周波数：高）」に設定される。また、録音対象との距離が離れている場合や音圧が小さい場合が想定されるため、「録音レベル」は「高」に設定される。「記録処理」定は「非圧縮」に設定される。
【００２５】
「野鳥モード２」が選択された場合には、風切り音がウィンドスクリーンによって低減されること考慮し、「イコライザ」は、「ＨＰＦ（カットオフ周波数：低）」に設定される。他の設定は「野鳥モード１」が選択された場合と同様の理由により、同様の設定とされる。
【００２６】
「ライブハウスモード」が選択された場合には、室内において各方向から高い音圧が得られるとともに、演奏者方向の音を集音することができる狭指向性のマイク構成とするために、「マイク構成」は「Ｌ＋Ｒ＋Ｃ」に設定され、「音声チャンネル」は「ステレオ」に設定される。また、音圧の高い重低音をカットするために、「イコライザ」が「ＨＰＦ（カットオフ周波数：低）」に設定される。さらに、高い音圧の音声を録音するので、「録音レベル」は「低」に設定される。「記録処理」は「非圧縮」に設定される。
【００２７】
「スタジオモード」が選択された場合には、スタジオ内の反射音も集音することができるように、「マイク構成」は、広指向性の「Ｌ＋Ｒ」に設定される。また、「音声チャンネル」は「ステレオ」に設定される。また、全音域を録音することができるように、「イコライザ」は「オフ」に設定される。さらに、歪やノイズの影響を少なくするために、「録音レベル」が「中」に設定される。「記録処理」は「非圧縮」に設定される。
【００２８】
「講演会モード」が選択された場合には、主に前方に位置する公演者の声や公演者のマイクで増幅された声を録音することが想定され、ステレオで録音する必要性がないため、「マイク構成」は「Ｃ」に設定され、「音声チャンネル」は「モノラル」に設定される。「イコライザ」は、声の帯域を中心とした周波数を通過させるように「ＢＰＦ」に設定される。「録音レベル」は「高」に設定され、「記録処理」は「高圧縮」に設定される。
【００２９】
「会話モード」が選択された場合には、録音装置の周辺で、複数の人が会話や会議、対談等を行なう様子を録音することが想定されるため、「マイク構成」は広指向性の「Ｌ＋Ｒ」、「音声チャンネル」は「ステレオ」に設定される。「イコライザ」は、声の帯域を中心とした周波数を通過させるように「ＢＰＦ」に設定される。「録音レベル」は「高」に設定され、「記録処理」は「低圧縮」に設定される。
【００３０】
「インタビューモード」が選択された場合には、雑音の中でマイクを話者に向け、話者の話しを録音することが想定されるため、「マイク構成」は「Ｃ」、「音声チャンネル」は「モノラル」、「イコライザ」は「ＢＰＦ」、「録音レベル」は「高」に設定される。「記録処理」は、音質劣化の影響が無いので、「高圧縮」に設定される。
【００３１】
この構成において、操作キー７により録音モードが選択され、録音開始の指示が与えられると、ＣＰＵ７は、図２のテーブルを参照し、選択された録音モードに従い、「マイク構成」、「イコライザ」、「録音レベル」、「音声チャンネル」、及び「記録処理」についての設定を行う。その後、録音を開始する。録音時には、「マイク構成」及び「録音レベル」についての設定内容に応じ、マイク１Ｌ、１Ｃ又は１Ｒからの音声信号がアンプ２Ｌ、２Ｃ又は２Ｒにより増幅される。増幅された音声信号は、ＡＤ変換器３Ｌ、３Ｃ又は３Ｒによりデジタル音声信号に変換され、イコライザ４を構成するＤＳＰに供給される。
【００３２】
ＤＳＰにおいては、供給されるデジタル音声信号に基づいて、「音声チャンネル」についての設定内容に応じ、ステレオ音声信号又はモノラル音声信号が生成される。その際、ＤＳＰは、「マイク構成」についての設定が広指向性の「Ｌ＋Ｒ」の場合と、狭指向性の「Ｌ＋Ｒ＋Ｃ」の場合とで、処理内容を切り替えて信号処理を行い、広指向性又は狭指向性のステレオ信号を生成する。イコライザ４は生成されたテレオ音声信号又はモノラル音声信号の周波数特性を、「イコライザ」についての設定内容に従い、調整する。調整された音声信号は、エンコーダ５により、「記録処理」についての設定内容に応じ、エンコードされる。エンコードされた音声信号は、フラッシュメモリ８に記録される。このようにして録音が行われる。
【００３３】
本実施形態によれば、ユーザは録音の状況や環境、対象に応じて録音モードを選択するだけで、その録音の状況等に適した各種の設定により録音を行うことができる。したがって、経験の無い録音状況等のもとで録音を行う場合でも、失敗することなく録音を行うことができる。また、試し録音を行う必要なく、直ちに最適な設定で録音を開始することができる。また、各録音モードにおける設定項目の１つとして「記録処理」を採用するようにしたため、録音状況等に応じてファイルの圧縮率を最適化し、フラッシュメモリ８における記憶領域を効率的に使用することができる。
【００３４】
なお、本発明は上述実施形態に限定されることなく、適宜変形して実施することができる。たとえば、上述においては、録音モードの選択を、操作キー７の操作により受け入れるようにしているが、この代わりに、各録音モードをイメージすることができる各録音モードに対応した図柄の図形を表示し、いずれかの図形の選択を、対応する録音モードの選択として受け入れるようにしてもよい。
【００３５】
また、選択された録音モードの各設定項目についての設定内容は、上述においては図２のように定められているが、ユーザが、操作キー７により変更することができるようにしてもよい。その場合、変更された設定内容を、選択された録音モードにおける当該設定項目についての新たな設定内容として記憶するようにしてもよい。たとえば、「屋外モード」が選択された場合に、ユーザが、「マイク構成」の設定を「Ｌ＋Ｒ」から「Ｌ＋Ｒ＋Ｃ」に変更したり、「記録処理」を「非圧縮」（たとえば２４［ｂｉｔ］／４８［ｋＨｚ］のＷＡＶ形式）から「低圧縮」（たとえば２５６［ｋｂｐｓ］のＭＰ３形式）に変更したりすることができるようにするとともに、変更結果を新たな設定内容として記憶し、次回の録音時に反映するようにしてもよい。
【００３６】
また、上述においては中央マイクを備え、狭指向性のステレオ信号を得る録音モードの場合には、左右のマイクに加えて中央マイクを用いるようにしているが、この代わりに、左右のマイクのみを用い、信号処理によって狭指向性のステレオ信号を得るようにしてもよい。この場合には、各録音モードについての設定項目として、設定内容を「広指向性」又は「狭指向性」とする設定項目を追加しておき、録音時には、選択された録音モードにおけるその設定項目の内容が「広指向性」であるか又は「狭指向性」であるかに応じ、ＤＳＰにおけるステレオ信号の生成処理を切り替えるようにすればよい。
【００３７】
また、上述実施形態においては、音声信号に付与する音響特性に関する設定項目として「イコライザ」を採用しているが、これに限らず、リバーブ等の他の音響特性についての設定項目を採用するようにしてもよい。
【００３８】
また、上述図２においては、設定項目として「音声チャンネル」を設けているが、「マイク構成」の設定内容が「Ｌ＋Ｒ」又は「Ｌ＋Ｒ＋Ｃ」であれば「音声チャンネル」の設定内容は「ステレオ」とみなしてステレオ音声信号を生成し、「マイク構成」の設定内容が「Ｃ」であれば「音声チャンネル」の設定内容は「モノラル」とみなしてモノラル音声信号を生成するようにして、「音声チャンネル」を設定項目から省略するようにしてもよい。
【００３９】
また、上記実施例においては、左右マイク（１Ｌ、１Ｒ）に加えてセンターマイク（１Ｃ）を用いた例について説明したが、マイクの構成はこれに限定されず、左右マイクのみや、さらに多くのマイクを用いてもよい。
【符号の説明】
【００４０】
１Ｌ：左マイク、１Ｃ：中央マイク、１Ｒ：右マイク、２Ｌ，２Ｃ，２Ｒ：アンプ、３Ｌ，３Ｃ，３Ｒ：ＡＤコンバータ、４：イコライザ、５：エンコーダ、６：ＣＰＵ、７：操作キー、８：フラッシュメモリ、ＳＷＬ，ＳＷＣ，ＳＷＲ：オン・オフスイッチ。
【図１】
2010273305.tif 000003
【図２】
2010273305.tif 000004